(57)【要約】【課題】  第一の装置に凹部が形成され、その凹部に第二の装置が嵌合して位置決め固定される位置決め固定構造において、第二の装置が前記凹部に嵌合されていない場合に前記凹部に塵埃が入り込み溜まることを回避し、又、前記第二の装置が複数種類の大きさが異なる場合であっても嵌合して所定の位置で位置決め固定されることを目的とする。【解決手段】    第一の装置である充電装置２に区画形成した凹部４の開口７の周縁に、折り畳み可能で拡げると開口７を閉塞し得、且つ、嵌合対象の第二の装置である携帯型ＡＶ装置５ａの大きさに対応して所定の位置を取らせるように折り畳んで凹部４に収納され得る蓋体８を開口７に枢支させて構成した。【選択図】  図３
2009054358.tif 000002
【特許請求の範囲】
【請求項１】
第一の装置に凹部が形成され、その凹部に第二の装置が嵌合されると所定の位置に位置決め固定される位置決め固定構造であって、
前記凹部の開口の周縁に、折り畳みが可能であって、拡げると前記凹部の開口を閉塞し得、且つ、折り畳むと前記凹部に一部若しくは全部が収納され得る蓋体が枢支されてなる位置決め固定構造。
【請求項２】
前記第一の装置と前記第二の装置は電気接続が可能であって、前記第一の装置の前記凹部に前記第二の装置が嵌合して所定の位置を取ると、前記電気接続が行われる構成の請求項１に記載の位置決め固定構造。
【請求項３】
前記蓋体を折り畳んで前記凹部に収納させることによって、前記凹部に対する前記第二の装置の位置決めの位置を決定する構成の請求項１又は請求項２に記載の位置決め固定構造。
【発明の詳細な説明】
【技術分野】
【０００１】
この発明は、第一の装置に凹部が形成され、その凹部に第二の装置が嵌合して位置決め固定される位置決め固定構造に関する。
特に、この発明は、前記第一の装置に凹部に塵埃が入り込んで溜まることを回避すること及び前記第二の装置が複数の相異なる大きさであっても前記凹部に嵌合されると所定の位置に位置決めされて固定されることの改良に関する。
【背景技術】
【０００２】
第一の装置に凹部が形成され、その凹部に第二の装置が嵌合されると所定の位置に位置決めされて固定される位置決め固定構造の発明として、以下に示す文献が知られている。
【０００３】
【特許文献１】特開２００３−３０９６３７号公報
【発明の開示】
【発明が解決しようとする課題】
【０００４】
特許文献１で開示されている発明では、装置本体２１に凹部であるＰＤＡ受け部２１ｄが形成されており、ＰＤＡ１０を嵌合すると装置本体２１に対して所定の位置に位置決めされて固定させる構成になっている。
特許文献１で開示されている発明では、クレードル装置が位置決め固定しているＰＤＡ１０に充電のために電気接続して電力を供給する必要から、装置本体２１にＰＤＡ１０が所定の位置で位置決めされ固定されることは充電のための所定通りの電気接続にとって望ましい構成になっている。
【０００５】
しかしながら、ＰＤＡ受け部２１ｄは、ＰＤＡ１０に充電が必要な時だけＰＤＡ１０に嵌合され、ＰＤＡ１０が嵌合されてない場合は外部に晒された状態になるので、外部から塵埃等が入り込み溜まることになる。
特に、ＰＤＡ受け部２１ｄには充電用電力の供給を行うためのＩ／Ｏコネクタ２２が配設されており、ＰＤＡ受け部２１ｄに塵埃が溜まることはショートや電気接続の不良の原因となり電気接続上大きな問題である。
【０００６】
又、特許文献１で開示の発明では、ＰＤＡ受け部２１ｄは、対応する大きさのＰＤＡ１０のみが嵌合して位置決め固定する構成であり、大きさの異なる他のＰＤＡを嵌合して位置決め固定して使用することができない。つまり、汎用性がないという問題もある。
殊に、今日では、多くの携帯用電気・電子装置等は省エネルギーの観点から二次電池が内蔵されて電力が外部から充電される方式が採られているにも拘わらず、大きさが相異なるというだけの理由で被充電装置の携帯用電気・電子装置に充電装置の凹部に汎用性がなく、よって、被充電装置の種類だけ充電装置が必要となり問題はより一層深刻であった。
【０００７】
尚、この問題を解決するために、第一の装置の凹部を十分に大きく区画形成することによって第二の装置に対して汎用性を高めることが考えられる。
しかし、例えば上述したような、第一の装置が充電装置であって且つ第二の装置が被充電装置である場合では、それら二つの装置は互いに電極の位置が対応付けられた所定の位置に位置決めされることが必要であり、位置決めが正確に行われない場合ではプラス極とマイナス極がそれぞれ対応付かず却って装置そのものが破損する虞があるという問題が生じる。
【０００８】
この発明は、上記の事情に鑑みて為されたものであり、第一の装置に凹部が形成され、その凹部に第二の装置が嵌合することで所定の位置に位置決め固定され、第二の装置が前記凹部に嵌合されていない場合であっても前記凹部に塵埃が入り込んで溜まることを回避させ得、且つ、前記凹部は、前記第二の装置が互いに大きさの異なる場合であっても前記凹部に嵌合すると所定の位置で位置決め固定させ得る位置決め固定構造を提供するものである。
【課題を解決するための手段】
【０００９】
この発明は、第二の装置を嵌合して位置決め固定させ得る第一の装置の凹部の周縁に、折り畳むと前記凹部内に収納され且つ拡げると凹部の開口を閉塞し得る蓋体を枢支してなる位置決め固定構造である。
その詳細な構成は、第一の装置に凹部が形成され、その凹部に第二の装置が嵌合されると所定の位置に位置決め固定される位置決め固定構造であって、
前記凹部の開口の周縁に、折り畳みが可能であって、拡げると前記凹部の開口を閉塞し得、且つ、折り畳むと前記凹部に一部若しくは全部が収納され得る蓋体が枢支されてなる位置決め固定構造である。
【００１０】
尚、第一の装置は具体的に充電装置が挙げられ、第二の装置は具体的に被充電装置が挙げられる。第二の装置は、より具体的には、携帯電話、トランシーバー、携帯型ＡＶ装置等が挙げられる。
従って、これらの場合には、前記第一の装置と前記第二の装置の間では充電用電力のやり取りを行うために、前記第一の装置の前記凹部に前記第二の装置が位置決め固定されると電気接続の状態が得られる構成が挙げられる。
【００１１】
又、前記蓋体は具体的に、複数枚の板部材が枢支によって屏風状に開閉可能に連結され、隣接する各板部材を開の状態にして拡げた姿勢を取らせた際にはほぼ平板状となり、閉の状態にして閉じた姿勢を取らせた際には折り畳んだ状態が得られる構成が挙げられる。
従って、前記蓋体の一部若しくは全部を折り畳んだ状態とさせて前記凹部に収納させると、前記蓋体はその体積分だけ前記凹部の大きさを小さくすることになる。
【発明の効果】
【００１２】
この発明は、折り畳み可能で、拡げると第一の装置に区画形成の凹部の開口を閉塞することが可能で、且つ、折り畳むと前記凹部に一部若しくは全部が収納可能な蓋体を前記開口の周縁に枢支させたことから、前記第一の装置の前記凹部に第二の装置を嵌合されていない場合には、前記蓋体によって前記開口を閉塞することによって前記凹部に塵埃等が入り込むことを回避し得、且つ、前記蓋体の一部若しくは全部を折り畳んで前記凹部に収納させることによって前記収納部の区画形成する空間の大きさを変化させ得、このことによって複数の大きさの異なる第二の装置が前記凹部に嵌合すると所定の位置で位置決め固定され得る位置決め固定構造である。
【発明を実施するための最良の形態】
【００１３】
この発明を、以下において、図面と共に発明を実施するための最良の形態に基づき詳述する。しかし、この実施の形態によって、この発明が限定されるものではない。
位置決め固定構造１は、第一の装置である充電装置２の本体を形成するケーシング３の上部に凹部４が設けられている。
【００１４】
凹部４は、第二の装置である携帯型ＡＶ装置５が嵌合されると、携帯型ＡＶ装置５に充電の電力を供給し得る所定の位置に位置決め固定させる形状に区画形成されている。
凹部４のほぼ中央に、携帯型ＡＶ装置５に充電用の電力を供給するためのコネクタ６が立設されている。
【００１５】
凹部４の開口７の周縁には、蓋体８が枢支されている。９は、蓋体８を開口７の周縁つまりケーシング３の側に枢支している枢支軸である。
蓋体８は、３枚の板部材１０，１１，１２が備えられ、それら板部材が１０，１１，１２が互いに隣り合う板部材に枢支によって屏風状に開閉可能に連結されることで構成されている。
【００１６】
そして、板部材１０，１１，１２は、互いに隣接する各板部材を開の状態にして拡げた姿勢を取らせた際には展開してほぼ平板状となり、互いに隣接する各板部材を閉の状態にして閉じた姿勢を取らせた際には折り畳んだ状態が得られるものである。
ここで、１３及び１４はそれぞれ、板部材１０と１１及び板部材１１と１２を枢支するための枢支軸である。
【００１７】
位置決め固定構造１は、上述したように構成されている。以下において、その使用を説明する。
位置決め固定構造１は、図１に示すように、充電装置２の凹部４に携帯型ＡＶ装置５が嵌合させる前には、蓋体８において板部材１０，１１，１２を互いに開の姿勢を取らせることによって展開させてほぼ一枚板の状態にさせ、且つ、開口７に対して開放の姿勢を取らせる。
【００１８】
ここで、携帯型ＡＶ装置５を凹部４に嵌合すると、凹部４の底面に立設されているコネクタ６が携帯型ＡＶ装置５の側のコネクタ（図示省略）に接続する所定の位置で位置決めされ、携帯型ＡＶ装置５は充電装置２に対してそのままの状態で位置決め固定される（図２を参照）。
ここで、充電装置２は、携帯型ＡＶ装置５に充電を行うことが可能になっている。
【００１９】
充電装置２の凹部４に対して、携帯型ＡＶ装置５に比べてサイズが小さい別の種類の携帯型ＡＶ装置５ａがあり、このサイズの小さい携帯型ＡＶ装置５ａに充電用の電力を供給する場合には、蓋体８において、板部材１０に対して板部材１１に閉の位置を取らせ、且つ、板部材１１に対して板部材１２に開の姿勢を取らせ、更に、蓋体８全体を凹部４に収納する。
ここで、凹部４が区画形成している空間は実質的に小さくなり、この空間が小さくなった凹部４に携帯型ＡＶ装置５ａを嵌合すると、凹部４の底面に立設されているコネクタ６が携帯型ＡＶ装置５ａの側のコネクタ（図示省略）に接続する所定の位置で位置決めされ、携帯型ＡＶ装置５ａは充電装置２に対してそのままの状態で位置決め固定される（図３を参照）。
【００２０】
ユーザーは、所望の電力だけ、充電装置２から携帯型ＡＶ装置５ａに電力を供給することが可能になっている。
充電装置２の凹部４に対して、携帯型ＡＶ装置５ａに比べて更にサイズが小さい別の種類の携帯型ＡＶ装置５ｂがあり、この更にサイズが小さい携帯型ＡＶ装置５ｂに充電用の電力を供給する場合には、蓋体８において、板部材１０に対して板部材１１に閉の位置を取らせ、且つ、板部材１１に対して板部材１２に閉の姿勢を取らせ、更に、蓋体８全体を凹部４に収納する。
【００２１】
ここで、凹部４が区画形成している空間は実質的に更に小さくなり、この更に空間が小さくなった凹部４に更にサイズの小さい携帯型ＡＶ装置５ｂを嵌合すると、凹部４の底面に立設されているコネクタ６が携帯型ＡＶ装置５ｂの側のコネクタ（図示省略）に接続する所定の位置で位置決めされ、携帯型ＡＶ装置５ｂは充電装置２に対してそのままの状態で位置決め固定される（図４を参照）。
ユーザーは、所望の電力だけ、充電装置２から携帯型ＡＶ装置５ｂに電力を供給することが可能になっている。
【００２２】
上述したように、充電装置２の凹部４は、互いにサイズが異なる３種類の携帯型ＡＶ装置５、携帯型ＡＶ装置５ａ及び携帯型ＡＶ装置５ｂの嵌合に対して充電用電力を供給するための位置、つまり、所定の位置に位置決めするように実質的に機能している。
充電装置２の使用が終了すると、ケーシング３に対して蓋体８を時計方向に回転して開口７に対して突出の位置を取らせ、板部材１０に対して板部材１１に開の位置を取らせ、且つ、板部材１１に対して板部材１２に開の姿勢を取らせると、蓋体８はほぼ一枚板の状態になる。
【００２３】
ここで、蓋体８全体を反時計方向に回転すると、板部材１２の先端部分がケーシング３の段差部（図示省略）に嵌合載置された状態となって、蓋体８は凹部の開口７を閉塞することになる。
従って、充電装置２を機能させていない際には、斯かる状態の蓋体８は開口７を閉塞しているので、凹部４に塵埃等が入り込むことが回避されている。
【００２４】
よって、凹部４の内部にコネクタ６等が配設されていても、塵埃等の侵入が防がれるので、塵埃によってコネクタ６等に問題が生じるということは回避される。
位置決め固定構造１は、蓋体８が３枚の板部材１０，１１，１０を備えて構成されているが、２枚の板部材、４枚以上の板部材を備えて構成されてもよい。
【００２５】
位置決め固定構造１は、凹部４に唯一つのコネクタ６が立設して備えられているが、必要な数のコネクタ（接続端）を凹部４に備えることが可能である。
尚、ここで言うコネクタは、充電用の電力を供給するためのものだけではなく、第一の装置から第二の装置を制御するための信号用のコネクタであってもよい。
【００２６】
例えば具体的には、第二の装置が携帯型ＡＶ装置であって第一の装置がドックである場合に、第一の装置であるドックの側から第二の装置の携帯型ＡＶ装置を再生・停止、選曲切り換え等の所望する内容にコントロールを行うためのコネクタが凹部４に配設された構成であってもよい。
【図面の簡単な説明】
【００２７】
【図１】この発明を実施するための最良の形態において、要部の構成を説明する断面構成説明図である。
【図２】図１に示す実施するための最良の形態において、充電装置の凹部に第一の携帯型ＡＶ装置を嵌合した状態を説明する図１相当図である。
【図３】図１に示す実施するための最良の形態において、充電装置の凹部に第二の携帯型ＡＶ装置を嵌合した状態を説明する図１相当図である。
【図４】図１に示す実施するための最良の形態において、充電装置の凹部に第三の携帯型ＡＶ装置を嵌合した状態を説明する図１相当図である。
【図５】図１に示す実施するための最良の形態において、充電装置の凹部を蓋体で閉塞した状態を説明する図１相当図である。
【符号の説明】
【００２８】
１                ：    位置決め固定構造
２                ：    充電装置（第一の装置）
３                ：    ケーシング（装置本体）
４                ：    凹部
５，５ａ，５ｂ    ：    携帯型ＡＶ装置（第二の装置）
６                ：    コネクタ
７                ：    開口
８                ：    蓋体
９，１３，１４    ：    枢支軸
１０，１１，１２  ：    板部材
【図１】
2009054358.tif 000003
【図２】
2009054358.tif 000004
【図３】
2009054358.tif 000005
【図４】
2009054358.tif 000006
【図５】
2009054358.tif 000007